(57)【要約】  誘電体層（１７０）は、透光性電極（１２０）のうち有機機能層（１１０）とは逆側の面に対向している。そして透光性基板（１４０）は、誘電体層（１７０）のうち透光性電極（１２０）とは逆側の面に対向している。光角度変更部（１５０）は、厚さ方向において透光性基板（１４０）の少なくとも一部が誘電体層（１７０）内に位置している。誘電体層（１７０）に入射した光は、例えば光角度変更部（１５０）の側面で反射することにより、透光性基板（１４０）の第１面（１４１）への入射角度が小さくなる。
2014064835.tif 000002
【特許請求の範囲】
【請求項１】
少なくとも発光層を含む有機機能層と、
前記有機機能層の一面に対向しており、前記発光層が発光した光を透過させる透光性電極と、
前記透光性電極のうち前記有機機能層に面する面とは逆側の面に対向しており、前記発光層が発光した光を透過させる誘電体層と、
前記誘電体層のうち前記透光性電極に面する面とは逆側の面に第１面が対向しており、前記発光層が発光した光を透過させて、前記第１面とは逆側の第２面から出射させる透光性基板と、
少なくとも一部が前記誘電体層内に位置しており、前記誘電体層に入射した光の前記第１面に対する入射角度を小さくする光角度変更部と、
を備える発光装置。
【請求項２】
請求項１に記載の発光装置において、
前記誘電体層の屈折率は、前記透光性電極の屈折率以上である発光装置。
【請求項３】
請求項１又は２に記載の発光装置において、
前記光角度変更部は、
平面視で線状に延在しており、
断面視で側面の一部が前記透光性電極に接しており、
少なくとも前記透光性電極に接している部分が導電性を有している発光装置。
【請求項４】
請求項３に記載の発光装置において、
前記透光性電極は、前記誘電体層上及び前記光角度変更部上に連続して形成されている発光装置。
【請求項５】
請求項３に記載の発光装置において、
前記誘電体層は、前記透光性電極と接している面に凹部を有しており、
前記透光性電極は、前記凹部の内面を含めて前記誘電体層に沿って形成されており、
前記光角度変更部のうち前記誘電体層内に位置する部分は、前記凹部内の前記透光性電極上に設けられている発光装置。
【請求項６】
請求項３に記載の発光装置において、
前記光角度変更部は、導電性材料により形成されている発光装置。
【請求項７】
請求項１又は２に記載の発光装置において、
断面視で、前記光角度変更部の少なくとも先端部の側面の角度は、前記透光性基板に近づくにつれて、前記透光性基板に平行な方向に近づくように変化している発光装置。
【請求項８】
少なくとも発光層を含む有機機能層と、
前記有機機能層の一面に対向しており、前記発光層が発光した光を透過させる透光性電極と、
前記透光性電極のうち前記有機機能層に面する面とは逆側の面に対向しており、前記発光層が発光した光を透過させる誘電体層と、
前記誘電体層のうち前記透光性電極に面する面とは逆側の面に第１面が対向しており、前記発光層が発光した光を透過させて、前記第１面とは逆側の第２面から出射させる透光性基板と、
少なくとも一部が前記誘電体層内に位置しており、側面の少なくとも一部が前記透光性基板に面する方向に傾斜しており、前記側面で光を反射する光角度変更部と、
を備える発光装置。
【請求項９】
第１面、及び前記第１面とは逆側の面である第２面を有する透光性基板の前記第１面に、透光性の誘電体層を形成する工程と、
前記誘電体層に凹部を形成する工程と、
前記凹部内に導電性材料を埋め込むことにより、前記誘電体層に入射した光の前記第１面への入射角を小さくする光角度変更部を形成する工程と、
前記誘電体層及び前記光角度変更部に、透光性電極を形成する工程と、
前記透光性電極に、少なくとも発光層を含む有機機能層を形成する工程と、
を備える発光装置の製造方法。
【請求項１０】
第１面、及び前記第１面とは逆側の面である第２面を有する透光性基板の前記第１面に、透光性の誘電体層を形成する工程と、
前記誘電体層上及び凹部の内面に沿って、透光性電極を形成する工程と、
前記凹部内に導電性材料を埋め込むことにより、前記誘電体層に入射した光の前記第１面への入射角を小さくする光角度変更部を形成する工程と、
前記透光性電極及び前記光角度変更部に、少なくとも発光層を含む有機機能層を形成する工程と、
を備える発光装置の製造方法。
【発明の詳細な説明】
【技術分野】
【０００１】
本発明は、発光装置及び発光装置の製造方法に関する。
【背景技術】
【０００２】
近年は、有機発光層を有する発光装置を照明装置の光源として利用することが検討されている。このような発光装置を照明装置として利用するためには、有機発光層で発生した光のうち外部に放射される光の割合（光取り出し効率）を向上させる必要がある。【０００３】
光取り出し効率を向上させるための技術の一つとして、例えば特許文献１，２に記載の技術がある。特許文献１には、ディスプレイ装置において、基板のうち発光層が設けられた面に金属性の楔状部材を埋め込み、この楔状部材の側面で光を反射させることにより、光取り出し効率を向上させることが記載されている。【０００４】
また特許文献２には、表示装置において、基板のうち発光層が設けられた面に、基板よりも低屈折率の材料を埋め込んで低屈折率材料層を形成することが記載されている。このようにすると、低屈折率材料層の側面で光が反射するため、光取り出し効率が向上する。
【先行技術文献】
【特許文献】
【０００５】
【特許文献１】特許第３５７３３９３号公報
【特許文献２】特開２００９−１１０８７３号公報
【発明の概要】
【発明が解決しようとする課題】
【０００６】
特許文献１、２に記載の技術では、基板に楔状部材又は低屈折率材料層を埋め込むための凹部を形成する必要がある。発光装置の基板の材料には、化学的及び物理的に安定なものが使用される。このため、基板に凹部を形成するための効率が低かった。【０００７】
本発明が解決しようとする課題としては、発光装置の光取り出し効率をさらに向上させつつ、発光装置の製造効率をよくすることが一例として挙げられる。
【課題を解決するための手段】
【０００８】
請求項１に記載の発明は、少なくとも発光層を含む有機機能層と、
前記有機機能層の一面に対向しており、前記発光層が発光した光を透過させる透光性電極と、
前記透光性電極のうち前記有機機能層に面する面とは逆側の面に対向しており、前記発光層が発光した光を透過させる誘電体層と、
前記誘電体層のうち前記透光性電極に面する面とは逆側の面に第１面が対向しており、前記発光層が発光した光を透過させて、前記第１面とは逆側の第２面から出射させる透光性基板と、
少なくとも一部が前記誘電体層内に位置しており、前記誘電体層に入射した光の前記第１面に対する入射角度を小さくする光角度変更部と、
を備える発光装置である。【０００９】
請求項８に記載の発明は、少なくとも発光層を含む有機機能層と、
前記有機機能層の一面に対向しており、前記発光層が発光した光を透過させる透光性電極と、
前記透光性電極のうち前記有機機能層に面する面とは逆側の面に対向しており、前記発光層が発光した光を透過させる誘電体層と、
前記誘電体層のうち前記透光性電極に面する面とは逆側の面に第１面が対向しており、前記発光層が発光した光を透過させて、前記第１面とは逆側の第２面から出射させる透光性基板と、
少なくとも一部が前記誘電体層内に位置しており、側面の少なくとも一部が前記透光性基板に面する方向に傾斜しており、前記側面で光を反射する光角度変更部と、
を備える発光装置である。【００１０】
請求項９に記載の発明は、第１面、及び前記第１面とは逆側の面である第２面を有する透光性基板の前記第１面に、透光性の誘電体層を形成する工程と、
前記誘電体層に凹部を形成する工程と、
前記凹部内に導電性材料を埋め込むことにより、前記誘電体層に入射した光の前記第１面への入射角を小さくする光角度変更部を形成する工程と、
前記誘電体層及び前記光角度変更部に、透光性電極を形成する工程と、
前記透光性電極に、少なくとも発光層を含む有機機能層を形成する工程と、
を備える発光装置の製造方法である。【００１１】
請求項１０に記載の発明は、第１面、及び前記第１面とは逆側の面である第２面を有する透光性基板の前記第１面に、透光性の誘電体層を形成する工程と、
前記誘電体層上及び凹部の内面に沿って、透光性電極を形成する工程と、
前記凹部内に導電性材料を埋め込むことにより、前記誘電体層に入射した光の前記第１面への入射角を小さくする光角度変更部を形成する工程と、
前記透光性電極及び前記光角度変更部に、少なくとも発光層を含む有機機能層を形成する工程と、
を備える発光装置の製造方法である。
【図面の簡単な説明】
【００１２】
上述した目的、およびその他の目的、特徴および利点は、以下に述べる好適な実施の形態、およびそれに付随する以下の図面によってさらに明らかになる。【００１３】
【図１】実施形態に係る発光装置の構成を示す断面図である。
【図２】光角度変更部の平面レイアウトを示す図である。
【図３】有機機能層の層構造の第１例を示す図である。
【図４】有機機能層の構成の第２例を示す図である。
【図５】図１に示した発光装置の製造方法を説明するための図である。
【図６】図１に示した発光装置の製造方法を説明するための図である。
【図７】実施例１に係る発光装置の構成を示す断面図である。
【図８】図８は、図７に示した発光装置の平面図である。
【図９】実施例２に係る発光装置を示す断面図である。
【図１０】実施例３に係る発光装置の構成を示す断面図である。
【図１１】図１０に示した発光装置の製造方法を示す断面図である。
【図１２】実施例４に係る発光装置の構成を示す断面図である。
【図１３】図１２に示した発光装置の製造方法を説明するための断面図である。
【図１４】実施例５に係る発光装置の構成を示す断面図である。
【図１５】光角度変更部の断面形状の変形例を示す図である。
【図１６】図１４に示した発光装置の製造方法を示す断面図である。
【図１７】図１４に示した発光装置の製造方法を示す断面図である。
【図１８】実施例６に係る発光装置の光角度変更部のレイアウトを示す平面図である。
【発明を実施するための形態】
【００１４】
以下、本発明の実施の形態について、図面を用いて説明する。尚、すべての図面において、同様な構成要素には同様の符号を付し、適宜説明を省略する。
【００１５】
（実施形態）
図１は、実施形態に係る発光装置１０の構成を示す断面図である。発光装置１０は、例えばディスプレイ、照明装置、又は光通信手段の光源として用いることができる。発光装置１０は、有機機能層１１０、透光性電極１２０、誘電体層１７０、透光性基板１４０、及び光角度変更部１５０を有している。誘電体層１７０、透光性電極１２０、及び有機機能層１１０は、透光性基板１４０の第１面１４１に、この順に積層されている。すなわち、透光性電極１２０は、有機機能層１１０の一面に対向しており、誘電体層１７０は、透光性電極１２０のうち有機機能層１１０とは逆側の面に対向している。そして透光性基板１４０は、誘電体層１７０のうち透光性電極１２０とは逆側の面に対向している。なお、第１面１４１と誘電体層１７０の間には他の層が設けられていても良く、誘電体層１７０と透光性電極１２０の間にも他の層が設けられていても良い。さらに、有機機能層１１０と透光性電極１２０の間にも他の層が設けられていても良い。
【００１６】
有機機能層１１０は、少なくとも発光層を有している。透光性電極１２０、誘電体層１７０、及び透光性基板１４０は、いずれも、有機機能層１１０の発光層が発光した光の少なくとも一部を透過する。透光性基板１４０は、第１面１４１とは逆側である第２面１４２が光出射面となっている。光角度変更部１５０は、厚さ方向において少なくとも一部が誘電体層１７０内に位置している。なお、本図に示す例では、光角度変更部１５０は、透光性基板１４０の中には位置していないが、先端が透光性基板１４０の中に入り込んでいても良い。光角度変更部１５０は、誘電体層１７０に入射した光が反射することで透光性基板１４０の第１面１４１に入射するときの入射角度を小さくする。ここで、入射角を、対象面の法線からの角度と定義する。
【００１７】
誘電体層１７０に入射した光は、例えば光角度変更部１５０の側面で反射することにより、透光性基板１４０の第１面１４１への入射角度が小さくなる。この場合、光角度変更部１５０の側面は、誘電体層１７０内に位置する部分の少なくとも一部が第１面１４１に面する方向（図１において上を向く方向）に傾斜している。
【００１８】
なお、有機機能層１１０からの光は、光角度変更部１５０に一回反射される場合もあるし、各層の界面や光角度変更部１５０での反射を繰り返しながら、臨界角を下回る場合もある。
【００１９】
光角度変更部１５０が設けられることにより、有機機能層１１０の発光層から誘電体層１７０に入射した光は、透光性基板１４０の第１面１４１への入射角度が小さくなる。このため、透光性基板１４０の第２面１４２に入射する光は、第２面１４２における臨界角未満の成分が増える。この結果、発光装置１０の光取り出し効率は向上する。
【００２０】
また、光角度変更部１５０は誘電体層１７０に埋め込まれている。この構造では、ガラスなどの安価で硬質の透光性基板１４０の上に、形状を容易に変えられる誘電体層１７０を配置し、誘電体層１７０の形状を型で変える事ができる。このため、光角度変更部１５０を透光性基板１４０に埋め込む場合と比較して、光角度変更部１５０を埋め込む際の製造効率が高くなる。従って、発光装置１０の製造効率は高くなる。
【００２１】
以下、発光装置１０の構成を詳細に説明する。
【００２２】
透光性基板１４０は、例えば、有機機能層１１０の発光層が発光する光に対して透光性を有する無機材料から形成されている。透光性基板１４０は、例えばガラス基板であるが、樹脂基板や樹脂フィルムであっても良い。
【００２３】
透光性基板１４０の第１面１４１上には、誘電体層１７０が形成されている。誘電体層１７０は、透光性基板１４０とは異なる材料であり、かつ加工が容易な材料により形成されている。例えば誘電体層１７０は、透光性基板１４０よりも軟化点が低い材料により形成されている。また誘電体層１７０の屈折率は、透光性電極１２０の屈折率と同程度（例えば±１０％以内）か、それよりも大きいのが好ましい。このようにすると、透光性電極１２０から誘電体層１７０に光を透過させやすくなる。誘電体層１７０の屈折率の上限は、例えば２．３であるが、これに限定されない。誘電体層１７０の材料としては、例えば有機機能層１１０の各層を構成する材料のいずれか、又は、酸化物ガラスなどのガラスがある。また、誘電体層１７０としては、熱可塑性樹脂（例えばＰＭＭＡ（アクリル）、ＰＥＮ（ポリエチレンナフタレート）、ＰＥＴ（ポリエチレンテレフタラート）、ＰＶＣ（ポリ塩化ビニル）、ＯＰＰ（延伸ポリプロピレン）、又はＰＥ（ポリエチレン））、熱硬化性樹脂（例えばＰＤＭＳ（ジメチルポリシロキサン））、または熱硬化性樹脂を用いることもできる。また誘電体層１７０は、ＢａＴｉＯ３を含有するナノパーティクルを用いた高屈折率ガラスでもよい。なお、誘電体層１７０の厚さは、透光性電極１２０の厚さよりも大きい。誘電体層１７０の厚さは、例えば光角度変更部１５０の厚さの１０倍以上である。
【００２４】
誘電体層１７０のうち透光性電極１２０に対向する面には、光角度変更部１５０を形成するために、凹部１７２が形成されている。凹部１７２の底部には、透光性基板１４０の第１面１４１が位置しているのが好ましい。このようにすると、光角度変更部１５０を高くすることができる。ただし、凹部１７２の深さはこれに限定されない。
【００２５】
光角度変更部１５０は、凹部１７２内に、光角度変更部１５０を形成するための材料を埋め込むことにより、形成されている。この材料は、有機機能層１１０の発光層が発光した光を反射する材料である。この材料は、導電性を有しているのが好ましい。光角度変更部１５０は、例えば金属により形成されている。光角度変更部１５０が金属で形成されている場合、この金属は、例えば金属ペースト（例えばＡｇペースト又はＡｌペースト）により形成されてもよいし、金属線であっても良い。金属ペーストで形成される場合、光角度変更部１５０は、バインダーを含んでいることもある。なお、光角度変更部１５０を形成する材料は、グラフェンなどの炭素材料であってもよい。また、光角度変更部１５０を構成する導電性材料は透光性電極１２０と接していればよい。例えば凹部１４４内は導電性材料で充填されていなくても、一部が中空でもよい。
【００２６】
凹部１７２の断面形状、すなわち光角度変更部１５０の断面形状は、側面の一部が、透光性基板１４０に面する方向に傾斜していればよい。ただし、光角度変更部１５０の側面は、図１において下側を向いている部分がないのが好ましい。本図に示す例では、光角度変更部１５０の断面形状は、略半円形である。ただし、光角度変更部１５０の断面形状は、これらに限定されない。
【００２７】
また、凹部１７２の底部（すなわち光角度変更部１５０の端部）は、誘電体層１７０内に位置していても良いし、誘電体層１７０と透光性基板１４０の界面に位置していても良いし、透光性基板１４０内に入り込んでいても良い。
【００２８】
誘電体層１７０上には、透光性電極１２０が形成されている。実施形態では、透光性電極１２０は、誘電体層１７０上及び光角度変更部１５０上に連続して形成されている。透光性電極１２０は、例えばＩＴＯ（Indium Thin Oxide）やＩＺＯ（インジウム亜鉛酸化物）などによって形成された透明電極である。ただし、透光性電極１２０は、光が透過する程度に薄い金属薄膜であっても良い。
【００２９】
上記したように、光角度変更部１５０は、導電性材料により形成されている。また光角度変更部１５０の一部は、透光性電極１２０に接している。また、後述するように、光角度変更部１５０は、平面視で線状に延在している。このため、光角度変更部１５０を設けることにより、透光性電極１２０の見かけ上の抵抗を低くすることができる。
【００３０】
なお、この効果は、光角度変更部１５０のうち少なくとも透光性電極１２０に接している部分が導電性を有していれば、得られる。ただし、光角度変更部１５０の全体が導電性材料により形成されている場合、光角度変更部１５０の抵抗を小さくすることができるため、この効果を特に大きくすることができる。光角度変更部１５０が点在していても、その部分の電気抵抗は透光性電極１２０だけの部分より小さくなるので、全体として抵抗値が下がり、電力伝送効率は向上する。
【００３１】
また、透光性電極１２０は、光角度変更部１５０及び誘電体層１７０上に連続して形成されている。このため、光角度変更部１５０を容易に透光性電極１２０に接続することができる。
【００３２】
また、透光性電極１２０上には、有機機能層１１０、及び電極１３０がこの順に形成されている。
【００３３】
有機機能層１１０は、複数の有機層を積層した構成を有している。この有機層の一つは、発光層である。有機機能層１１０の層構造については、別の図を用いて後述する。
【００３４】
電極１３０は、例えばＡｌやＡｇなどの金属から形成されており、有機機能層１１０の発光層が発光した光のうち電極１３０に向かってきた光を、透光性基板１４０に向かう方向に反射する。
【００３５】
なお、透光性基板１４０の第２面１４２上に、光取り出しフィルムを設けても良い。光取り出しフィルムを設けることにより、臨界角を超える光の一部が外部に出るため、透光性基板１４０の第２面１４２から外部に出射する光の量が増大する。
【００３６】
図２は、図１のＸ方向で見た場合の、光角度変更部１５０の平面レイアウトを示す図である。図２は、図３のＡ−Ｂ断面に対応している。この図において、説明のため、光角度変更部１５０は透光性電極１２０とともに示されている。
【００３７】
本図に示す例において、複数の光角度変更部１５０は、いずれも直線状であり、互いに平行である。上記したように、光角度変更部１５０は、透光性電極１２０の抵抗を下げるための補助配線（バスライン）としても機能する。なお、光角度変更部１５０は、一定間隔で配置されてもよいし、少なくとも一部が他とは異なる間隔で配置されていても良い。
【００３８】
図３は、有機機能層１１０の層構造の第１例を示す図である。本図に示す例において、有機機能層１１０は、正孔注入層１１１、正孔輸送層１１２、発光層１１３、電子輸送層１１４、及び電子注入層１１５をこの順に積層した構造を有している。すなわち有機機能層１１０は、有機エレクトロルミネッセンス発光層である。なお、正孔注入層１１１及び正孔輸送層１１２の代わりに、これら２つの層の機能を有する一つの層を設けてもよい。同様に、電子輸送層１１４及び電子注入層１１５の代わりに、これら２つの層の機能を有する一つの層を設けてもよい。
【００３９】
本図に示す例において、発光層１１３は、例えば赤色の光を発光する層、青色の光を発光する層、黄色の光を発光する層、又は緑色の光を発光する層である。この場合、発光装置１０は、平面視において、赤色の光を発光する発光層１１３を有する領域、緑色の光を発光する発光層１１３を有する領域、及び青色の光を発光する発光層１１３を有する領域が繰り返し設けられていても良い。この場合、各領域を同時に発光させると、発光装置１０は白色に発光する。
【００４０】
なお、発光層１１３は、複数の色を発光するための材料を混ぜることにより、白色の光を発光するように構成されていても良い。
【００４１】
図４は、有機機能層１１０の構成の第２例を示す図である。本図に示す例において、有機機能層１１０は、正孔輸送層１１２と電子輸送層１１４の間に、発光層１１３ａ，１１３ｂ，１１３ｃを積層させた構成を有している。発光層１１３ａ，１１３ｂ，１１３ｃは、互いに異なる色の光（例えば赤、緑、及び青）である。そして発光層１１３ａ，１１３ｂ，１１３ｃが同時に発光することにより、発光装置１０は白色に発光する。
【００４２】
図５及び図６は、図１に示した発光装置１０の製造方法を説明するための図である。まず、図５（ａ）に示すように、透光性基板１４０を準備する。次いで、透光性基板１４０の第１面１４１上に、誘電体層１７０を形成する。誘電体層１７０は、例えば塗布法を用いて形成されてもよいし、誘電体層１７０となるシート材を第１面１４１上に熱圧着しても良い。
【００４３】
次いで、図５（ｂ）に示すように、透光性基板１４０を変形可能な温度（軟化点以上融点以下）まで加熱した後に、型（例えばカーボン製）を押し付けることにより、凹部１７２を形成する。なお、誘電体層１７０がガラスである場合、誘電体層１７０上にマスクパターン（例えばレジストパターン）を形成し、このマスクパターンをマスクとして誘電体層１７０をエッチングすることにより、凹部１７２を形成しても良い。このエッチングには、例えばウェットエッチングが用いられる。この場合、エッチング液としては、例えばフッ酸が用いられる。これにより、透光性電極１２０及び透光性基板１４０には凹部１７２が形成される。なお、凹部１７２は、ショットブラスト（例えばサンドブラスト、ウォーターブラスト、ウェットブラスト）により形成されても良い。
【００４４】
次いで、図６に示すように、凹部１７２内に光角度変更部１５０を形成する。光角度変更部１５０は、例えば以下の方法により形成される。
【００４５】
まず、凹部１７２内に導電性ペーストを、例えばスクリーン印刷法を用いて充填する。導電性ペーストの充填方法は、ディスペンサーを用いた方法やインクジェット法であってもよい。次いで、導電性ペーストを加熱し、乾燥させる。これにより、光角度変更部１５０が形成される。
【００４６】
その後、誘電体層１７０上及び光角度変更部１５０上に、透光性電極１２０、有機機能層１１０及び電極１３０を、この順に形成する。透光性電極１２０及び電極１３０は、例えばスパッタリング法を用いて形成される。また、有機機能層１１０は、塗布法又は蒸着法を用いて形成される。
【００４７】
以上、実施形態によれば、透光性基板１４０と有機機能層１１０の間には誘電体層１７０が形成されている。そして誘電体層１７０には光角度変更部１５０が埋め込まれている。このため、透光性基板１４０に光角度変更部１５０を埋め込む場合と比較して、光角度変更部１５０を容易に形成することができる。また、透光性基板１４０としては透光性の高い材料を用いているため、透光性基板１４０を誘電体層１７０と同様の材料で形成する場合と比較して、発光装置１０の光取り出し効率を高くすることができる。
【００４８】
また、誘電体層１７０を設けなかった場合、有機機能層１１０から発光した光のうち、誘電体層１７０と透光性基板１４０の界面への入射角が臨界角未満の成分は、この界面で反射される。この反射光は、有機機能層１１０を透過し、さらに電極１３０で反射される。光は有機機能層１１０を透過する際に減衰するため、このような反射が繰り返される場合、有機機能層１１０から発光した光は大きく減衰する。これに対して本実施形態では、誘電体層１７０は、透光性電極１２０よりも厚い。そして厚さ方向で見た場合、誘電体層１７０のほぼ全体に、光角度変更部１５０が設けられている。このため、誘電体層１７０の中を通る光は、光角度変更部１５０の側面で反射される確率が高くなる。この場合、第１面１４１と電極１３０の間で光が往復する回数、すなわち光が有機機能層１１０を通過する回数を減らすことができる。これにより、発光装置１０の光取り出し効率を向上させることができる。
【実施例】
【００４９】
（実施例１）
図７は、実施例１に係る発光装置１０の構成を示す断面図である。図８は、図７に示した発光装置１０の平面図であり、実施形態における図２に対応している。本実施例に係る発光装置１０は、隔壁部１６０を備えている点を除いて、実施形態に係る発光装置１０と同様の構成である。【００５０】
隔壁部１６０は、透光性電極１２０上に設けられており、有機機能層１１０及び電極１３０を複数の領域に分割している。隔壁部１６０によって分割された各領域は、互いに異なる色の光を発光してもよいし、同一の色の光を発光してもよい。【００５１】
隔壁部１６０は、絶縁性の材料、例えばポリイミド膜などの感光性樹脂によって形成されている。そして光角度変更部１５０は、平面視で隔壁部１６０と重なる位置、より具体的には隔壁部１６０の内側に位置している。【００５２】
図８に示す例では、全ての隔壁部１６０に対応して光角度変更部１５０が設けられている。ただし、いずれかの隔壁部１６０には光角度変更部１５０が設けられていなくても良い。【００５３】
次に、本実施例に係る発光装置１０の製造方法を説明する。透光性電極１２０を形成するまでの工程は、実施形態と同様である。透光性電極１２０を形成した後、透光性電極１２０上に、ポリイミド膜を形成した後、露光及び現像を行う。これにより、隔壁部１６０が形成される。その後、透光性電極１２０、有機機能層１１０及び透光性電極１２０を形成する。【００５４】
本実施例によっても、実施形態と同様の効果を得ることができる。また、光角度変更部１５０を設けた場合、平面視において、透光性基板１４０の第１面１４１のうち光が入射する領域が小さくなる。これに対して本実施例では、光角度変更部１５０を平面視で隔壁部１６０と重ねている。平面視において隔壁部１６０と重なっている領域は、有機機能層１１０を形成することができないため、入射する光の量は少ない。このため、光角度変更部１５０と隔壁部１６０とを重ねると、光角度変更部１５０を追加したことが原因で、透光性基板１４０の第１面１４１のうち光が入射する領域が小さくなることを、抑制できる。【００５５】
（実施例２）
図９は、実施例２に係る発光装置１０を示す断面図である。本実施例では、以下の点が実施例１と異なる。【００５６】
まず、光角度変更部１５０の断面形状が実施例１と異なる。具体的には、断面視において、光角度変更部１５０は、三角形の高さ方向の頂点を丸めた構成を有している。すなわち光角度変更部１５０の側面の少なくとも先端部の角度は、透光性基板１４０に近づくにつれて、透光性基板１４０に平行な方向に近づくように変化している。また、凹部１７２の側面（すなわち光角度変更部１５０の側面）と誘電体層１７０の上面との接続部は丸まっている。このような形状は、凹部１７２を形成するときの条件（例えばエッチング条件）を調節することにより、実現できる。【００５７】
さらに、また厚さ方向で見た場合、光角度変更部１５０の一部は、隔壁部１６０の中に達している。光角度変更部１５０の側面のうち隔壁部１６０内に位置する部分の少なくとも一部は、第２面１４２に面する方向に傾斜している。【００５８】
さらに、凹部１７２は、厚さ方向で見た場合に、透光性電極１２０から誘電体層１７０にわたって形成されている。そして、光角度変更部１５０は、透光性電極１２０を貫いている。光角度変更部１５０は、側面の一部が透光性電極１２０に接続している。【００５９】
本実施例に係る発光装置１０の製造方法は、誘電体層１７０を形成した後、凹部１７２を形成する前に、凹部１７２及び光角度変更部１５０を形成する点を除いて、実施例１に係る発光装置１０の製造方法と同様である。【００６０】
本実施例においても、実施形態と同様の効果を得ることができる。また、実施形態で説明したように、有機機能層１１０から誘電体層１７０に入射した光の一部は、各界面や光角度変更部１５０での反射を繰り返しながら、最後に誘電体層１７０と透光性基板１４０の界面における臨界角未満になる。光角度変更部１５０の中央部で光が反射した場合に、空気層への取り出し効率が悪くなる角度の光になることがある。これに対して本実施例では、光角度変更部１５０の先端部の角度は、透光性基板１４０の第１面１４１に近づくにつれて、第１面１４１に平行な方向に近づくように変化している。このため、光角度変更部１５０の中央部で反射した光が、光角度変更部１５０の先端部にあたることによって、その光の第１面１４１に対する入射角を、第１面１４１における臨界角未満にすることができる。【００６１】
また、隔壁部１６０は、有機機能層１１０の発光層が発光した光に対して透光性を有する材料から形成されていて、有機機能層１１０の発光層が発光した光を透過する場合がある。この場合、光角度変更部１５０の側面のうち隔壁部１６０内に位置する部分が、隔壁部１６０に入射した光を反射して、この光の入射角度を小さくする。これにより、各層を透過する光の量を増やして、発光装置１０の光取り出し効率を向上させることができる。【００６２】
（実施例３）
図１０は、実施例３に係る発光装置１０の構成を示す断面図である。実施例３に係る発光装置１０は、以下の点を除いて、実施例２に係る発光装置１０と同様の構成である。まず、透光性電極１２０が誘電体層１７０上及び凹部１７２の内壁に沿って連続して形成されている。そして、光角度変更部１５０は、凹部１７２内の透光性電極１２０上に形成されている。すなわち、光角度変更部１５０は、側面のうち誘電体層１７０内に位置する部分で透光性電極１２０に接続している。また、光角度変更部１５０の側面のうち、厚さ方向において有機機能層１１０と重なる部分は、少なくとも一部が透光性基板１４０に面する方向に傾斜している。【００６３】
図１１は、図１０に示した発光装置１０の製造方法を示す断面図である。まず、図１１（ａ）に示すように、透光性基板１４０の第１面１４１に誘電体層１７０を形成し、さらに誘電体層１７０に凹部１７２を形成する。次いで、誘電体層１７０の上面及び凹部１７２に沿って、透光性電極１２０を形成する。透光性電極１２０の形成方法は、実施形態で説明した通りである。【００６４】
次いで、図１１（ｂ）に示すように、凹部１７２内の透光性電極１２０上に、光角度変更部１５０を形成する。光角度変更部１５０の形成方法も、実施形態で説明した通りである。このとき、光角度変更部１５０の上部（図１１（ｂ）における下側の部分）が誘電体層１７０から飛び出るようにする。これは、例えばスクリーン等を用いて導電性ペーストを盛り上げることにより、実現できる。【００６５】
その後の工程は、実施形態と同様である。【００６６】
本実施例によっても、実施形態と同様の効果を得ることができる。また、透光性電極１２０を凹部１７２に沿って形成しているため、透光性電極１２０と光角度変更部１５０の接触面積を大きくすることができる。従って、透光性電極１２０と光角度変更部１５０の接続抵抗を小さくすることができる。【００６７】
また、光角度変更部１５０の側面のうち、厚さ方向において有機機能層１１０と重なる部分は、少なくとも一部が透光性基板１４０に面する方向に傾斜している。このため、有機機能層１１０から隔壁部１６０の内部に侵入した光は、光角度変更部１５０の側面で反射することにより、透光性電極１２０、誘電体層１７０、及び透光性基板１４０に対する入射角が小さくなる。このため、発光装置１０の光取り出し効率を上げることができる。【００６８】
（実施例４）
図１２は、実施例４に係る発光装置１０の構成を示す断面図である。本実施例に係る発光装置１０は、光角度変更部１５０上にも透光性電極１２０が形成されている点を除いて、実施例２に係る発光装置１０と同様の構成である。詳細には、透光性電極１２０は、誘電体層１７０上から光角度変更部１５０上まで連続して形成されている。【００６９】
図１３は、図１２に示した発光装置１０の製造方法を説明するための断面図である。まず図１３（ａ）に示すように、透光性基板１４０に誘電体層１７０を形成し、さらに誘電体層１７０に凹部１７２を形成する。次いで、凹部１７２内に、光角度変更部１５０を形成する。光角度変更部１５０の形成方法は、実施形態で説明した通りである。このとき、光角度変更部１５０の上部が誘電体層１７０から飛び出るようにする。【００７０】
次いで図１３（ｂ）に示すように、誘電体層１７０の上面、及び光角度変更部１５０のうち誘電体層１７０から飛び出ている部分に沿って、透光性電極１２０を形成する。透光性電極１２０の形成方法は、実施形態で説明した通りである。【００７１】
その後の工程は、実施例１と同様である。本実施例によっても、実施形態と同様の効果を得ることができる。【００７２】
（実施例５）
図１４は、実施例５に係る発光装置１０の構成を示す断面図である。本実施例に係る発光装置１０は、以下の点を除いて実施例１に係る発光装置１０と同様の構成である。【００７３】
まず、誘電体層１７０は、透光性基板１４０上に第１誘電体層１７３及び第２誘電体層１７４をこの順に積層した構成を有している。第１誘電体層１７３の屈折率は、第２誘電体層１７４の屈折率よりも低いが、透光性基板１４０の屈折率よりも高い。なお、本図に示す例では、誘電体層１７０は第１誘電体層１７３と第２誘電体層１７４の２層構造であるが、３層以上を積層した構造であっても良い。この場合においても、誘電体層１７０を構成する各層は、透光性基板１４０の近くになるにつれて屈折率が低くなっている。すなわち誘電体層１７０の全体で見た場合に、誘電体層１７０は、透光性基板１４０に近づくにつれて屈折率が階段状に低くなっている。【００７４】
また、光角度変更部１５０の断面形状が異なる。光角度変更部１５０は、２つの側面が互いに異なる形状を有している。本図に示す例では、図中左側の側面は、いずれの部分も透光性基板１４０の第１面１４１に面する方向に傾斜している。ただし、誘電体層１７０内に位置する部分は他の部分よりも傾斜が大きい。一方、図中右側の側面は、第１面１４１に対してほぼ垂直になっている。【００７５】
また、隔壁部１６０は、第１隔壁部１６２の上に第２隔壁部１６４を積み重ねた構成を有している。凹部１７２は、第１隔壁部１６２から誘電体層１７０にわたって形成されている。そして第２隔壁部１６４は、第１隔壁部１６２上及び光角度変更部１５０上に形成されている。この結果、厚さ方向で見た場合、有機機能層１１０の全体が、光角度変更部１５０の側面と重なっている。特に本図に示す例では、電極１３０の全体も光角度変更部１５０の側面と重なっている。そしてこの重なっている部分において、光角度変更部１５０の側面は、透光性基板１４０に面する方向に傾斜している。【００７６】
図１５は、光角度変更部１５０の断面形状の変形例を示す図である。本図に示す例では、光角度変更部１５０の断面形状は三角形である。そして光角度変更部１５０の図中右側の側面は、第１面１４１に対してほぼ垂直になっている。【００７７】
なお、図１４及び図１５のいずれの例においても、複数の光角度変更部１５０は、断面形状が同じ向きとなるように互いに平行に配置されている。【００７８】
図１６及び図１７は、図１４に示した発光装置１０の製造方法を示す断面図である。まず、図１６（ａ）に示すように、透光性基板１４０の第１面１４１に誘電体層１７０及び透光性電極１２０をこの順に形成し、さらに、透光性電極１２０上に第１隔壁部１６２を形成する。第１隔壁部１６２は、例えば、実施例１における隔壁部１６０と同様の方法で形成される。【００７９】
次いで、透光性電極１２０上及び第１隔壁部１６２上にレジストパターン（図示せず）を形成し、このレジストパターンを用いて第１隔壁部１６２、透光性電極１２０、及び誘電体層１７０をエッチングする。これにより、第１隔壁部１６２、透光性電極１２０、及び誘電体層１７０には凹部１７２が形成される。【００８０】
次いで図１６（ｂ）に示すように、凹部１７２内に、光角度変更部１５０を形成する。光角度変更部１５０の形成方法は、実施例１で説明した通りである。【００８１】
その後、図１７に示すように、第１隔壁部１６２上及び光角度変更部１５０上に、第２隔壁部１６４を形成する。第２隔壁部１６４は、例えば、実施例１における隔壁部１６０と同様の方法で形成される。【００８２】
その後、有機機能層１１０及び電極１３０を形成する。これらの形成方法は、実施例１と同様である。【００８３】
本実施例によっても、実施例１と同様の効果を得ることができる。また、厚さ方向において、光角度変更部１５０を、透光性電極１２０及び電極１３０の双方に重ねることができる。このため、有機機能層１１０から隔壁部１６０に光が入射した場合、その光の多くは、光角度変更部１５０の側面で反射され、誘電体層１７０及び透光性基板１４０に対する入射角が小さくなる。このため、発光装置１０の光取り出し効率をさらに向上させることができる。【００８４】
また、光角度変更部１５０の側面の一方を、ほぼ垂直にしている。この場合、光角度変更部１５０の高さ（凹部１７２の深さ）を大きくすることができる。光角度変更部１５０を高くした場合、誘電体層１７０内において有機機能層１１０が発光した光が光角度変更部１５０の側面で反射されやすくなる。このため、発光装置１０の光取り出し効率はさらに高くなる。【００８５】
（実施例６）
図１８は、実施例６に係る発光装置１０の光角度変更部１５０のレイアウトを示す平面図であり、実施形態における図３に対応している。本実施例において、光角度変更部１５０は、直線状に延在しているものの他に、ドット状に形成されているものもある。光角度変更部１５０のうちドット状に形成されたものは、隣り合う直線状の光角度変更部１５０の間に、千鳥状に配置されている。ただし、ドット状の光角度変更部１５０のレイアウトは、本図に示す例に限定されない。なお、ドット状の光角度変更部１５０は、角錐形状であっても良いし円錐形状であっても良い。【００８６】
本実施例によっても、実施形態と同様の効果を得ることができる。また、直線状の光角度変更部１５０の間に、ドット状の光角度変更部１５０を配置しているため、直線状の光角度変更部１５０と平行な方向に光が入射した場合であっても、実施形態と同様の作用が生じる。このため、さらに発光装置１０の光取り出し効率を高めることができる。【００８７】
以上、図面を参照して実施形態及び実施例について述べたが、これらは本発明の例示であり、上記以外の様々な構成を採用することもできる。
【図１】
2014064835.tif 000003
【図２】
2014064835.tif 000004
【図３】
2014064835.tif 000005
【図４】
2014064835.tif 000006
【図５】
2014064835.tif 000007
【図６】
2014064835.tif 000008
【図７】
2014064835.tif 000009
【図８】
2014064835.tif 000010
【図９】
2014064835.tif 000011
【図１０】
2014064835.tif 000012
【図１１】
2014064835.tif 000013
【図１２】
2014064835.tif 000014
【図１３】
2014064835.tif 000015
【図１４】
2014064835.tif 000016
【図１５】
2014064835.tif 000017
【図１６】
2014064835.tif 000018
【図１７】
2014064835.tif 000019
【図１８】
2014064835.tif 000020
【手続補正書】
【提出日】平成27年4月1日(2015.4.1)
【手続補正１】
【補正対象書類名】特許請求の範囲
【補正対象項目名】全文
【補正方法】変更
【補正の内容】
【特許請求の範囲】
【請求項１】
少なくとも発光層を含む有機機能層と、
前記有機機能層の一面に対向しており、前記発光層が発光した光を透過させる透光性電極と、
前記透光性電極のうち前記有機機能層に面する面とは逆側の面に対向しており、前記発光層が発光した光を透過させる誘電体層と、
前記誘電体層のうち前記透光性電極に面する面とは逆側の面に第１面が対向しており、前記発光層が発光した光を透過させて、前記第１面とは逆側の第２面から出射させる透光性基板と、
少なくとも一部が前記誘電体層内に位置しており、前記誘電体層に入射した光の前記第１面に対する入射角度を小さくする光角度変更部と、
を備える発光装置。
【請求項２】
請求項１に記載の発光装置において、
前記誘電体層の屈折率は、前記透光性電極の屈折率以上である発光装置。
【請求項３】
請求項１又は２に記載の発光装置において、
前記光角度変更部は、
第１の面内で線状に延在しており、
前記第１の面に垂直な断面視で側面の一部が前記透光性電極に接しており、
少なくとも前記透光性電極に接している部分が導電性を有している発光装置。
【請求項４】
請求項３に記載の発光装置において、
前記透光性電極は、前記誘電体層上及び前記光角度変更部上に連続して形成されている発光装置。
【請求項５】
請求項３に記載の発光装置において、
前記誘電体層は、前記透光性電極と接している面に凹部を有しており、
前記透光性電極は、前記凹部の内面を含めて前記誘電体層に沿って形成されており、
前記光角度変更部のうち前記誘電体層内に位置する部分は、前記凹部内の前記透光性電極上に設けられている発光装置。
【請求項６】
請求項３に記載の発光装置において、
前記光角度変更部は、導電性材料により形成されている発光装置。
【請求項７】
請求項１又は２に記載の発光装置において、
前記透光性基板に垂直な断面視で、前記光角度変更部の少なくとも先端部の側面の角度は、前記透光性基板に近づくにつれて、前記透光性基板に平行な方向に近づくように変化している発光装置。
【請求項８】
少なくとも発光層を含む有機機能層と、
前記有機機能層の一面に対向しており、前記発光層が発光した光を透過させる透光性電極と、
前記透光性電極のうち前記有機機能層に面する面とは逆側の面に対向しており、前記発光層が発光した光を透過させる誘電体層と、
前記誘電体層のうち前記透光性電極に面する面とは逆側の面に第１面が対向しており、前記発光層が発光した光を透過させて、前記第１面とは逆側の第２面から出射させる透光性基板と、
少なくとも一部が前記誘電体層内に位置しており、側面の少なくとも一部が前記透光性基板に面する方向に傾斜しており、前記側面で光を反射する光角度変更部と、
を備える発光装置。
【請求項９】
少なくとも発光層を含む有機機能層と、
前記有機機能層の一面に対向しており、前記発光層が発光した光を透過させる透光性電極と、
前記透光性電極のうち前記有機機能層に面する面とは逆側の面に対向しており、前記透光性電極よりも屈折率が大きく、膜厚の厚い誘電体層と、
前記誘電体層のうち前記透光性電極に面する面とは逆側の面に第１面が対向している透光性基板と、
少なくとも一部が前記誘電体層内に位置しており、前記誘電体層に入射した光の前記第１面に対する入射角度を小さくする光角度変更部と、
を備え、
前記光角度変更部は、ドット状に形成されている発光装置。
【請求項１０】
少なくとも発光層を含む有機機能層と、
前記有機機能層の一面に対向しており、前記発光層が発光した光を透過させる透光性電極と、
前記透光性電極のうち前記有機機能層に面する面とは逆側の面に対向しており、前記透光性電極よりも屈折率が大きく、膜厚の厚い誘電体層と、
前記誘電体層のうち前記透光性電極に面する面とは逆側の面に第１面が対向している透光性基板と、
少なくとも一部が前記誘電体層内に位置しており、前記誘電体層とは異なる材料から形成されており、側面の少なくとも一部が傾斜している埋込部材と、
を備え、
前記埋込部材は、ドット状に形成されている発光装置。
【請求項１１】
少なくとも発光層を含む有機機能層と、
前記有機機能層の一面に対向しており、前記発光層が発光した光を透過させる透光性電極と、
前記透光性電極のうち前記有機機能層に面する面とは逆側の面に対向している誘電体層と、
前記誘電体層のうち前記透光性電極に面する面とは逆側の面に第１面が対向しており、前記第１面とは逆側の面である第２面から前記発光層が発光した光を放射する透光性基板と、
少なくとも一部が前記誘電体層内に位置しており、前記誘電体層に入射した光の前記第１面に対する入射角度を小さくする複数の部材と、
を備え、
一部の前記部材の間隔は、他の前記部材の間隔とは異なる発光装置。
【請求項１２】
請求項１１に記載の発光装置において、
前記部材はドット状に配置されている発光装置。
【請求項１３】
請求項１２に記載の発光装置において、
前記部材のうち前記誘電体層内に位置する部分は千鳥状に配置されている発光装置。
【請求項１４】
請求項１２又は１３に記載の発光装置において、
前記部材のうち前記誘電体層内に位置する部分は円錐形状を有している発光装置。
【請求項１５】
請求項１２に記載の発光装置において、
前記透光性基板に垂直な断面において、前記部材のうち前記誘電体層内に位置する部分は第１の外形線と第２の外形線を有しており、
前記第１の外形線は前記第２の外形線と非対称である発光装置。
【請求項１６】
請求項１５に記載の発光装置において、
前記透光性基板に対し、前記第１の外形線は前記第２の外形線より傾斜している発光装置。
【請求項１７】
請求項１２〜１６のいずれか一項に記載の発光装置において、
前記部材は導電性を有している発光装置。
【請求項１８】
請求項１７に記載の発光装置において、
前記部材は少なくとも一つの金属を含んでいる発光装置。
【手続補正書】
【提出日】平成28年6月17日(2016.6.17)
【手続補正１】
【補正対象書類名】特許請求の範囲
【補正対象項目名】全文
【補正方法】変更
【補正の内容】
【特許請求の範囲】
【請求項１】
発光層を含む有機機能層と、
前記有機機能層に対向する透光性電極と、
前記透光性電極の前記有機機能層とは逆側の面に対向する誘電体層と、
前記誘電体層の前記透光性電極とは逆側の面に第１面が対向し、前記発光層が発光した光を透過させる透光性基板と、
導電性材料により線状に形成され、前記誘電体層内に位置し、前記誘電体層に入射した光の前記第１面に対する入射角度を小さくし、前記透光性電極と電気的に接する光角度変更部と、
を備え、
前記誘電体層の屈折率は、前記透光性電極の屈折率以上である発光装置。
【請求項２】
請求項１に記載の発光装置において、
前記透光性電極は、前記誘電体層上及び前記光角度変更部上に連続して形成されている発光装置。
【請求項３】
請求項１に記載の発光装置において、
前記誘電体層は、前記透光性電極と接している面に凹部を有しており、
前記透光性電極は、前記凹部の内面を含めて前記誘電体層に沿って形成されており、
前記光角度変更部のうち前記誘電体層内に位置する部分は、前記凹部内の前記透光性電極上に設けられている発光装置。
【請求項４】
請求項１〜３のいずれか一項に記載の発光装置において、
前記透光性基板に垂直な断面視で、前記光角度変更部の少なくとも先端部の側面の角度は、前記透光性基板に近づくにつれて、前記透光性基板に平行な方向に近づくように変化している発光装置。
【国際調査報告】
2014064835.tif 000021
2014064835.tif 000022
2014064835.tif 000023
2014064835.tif 000024
2014064835.tif 000025
2014064835.tif 000026
2014064835.tif 000027